(57)【要約】【課題】室外機から室内へ伝わる音を低減することができる空気調和機を提供する。【解決手段】空気調和機１は、室外機３と室内機２とに分かれる空気調和機であって、ラジアルファン組立体と給排気ダクト６１とマフラー６２とを備える。ラジアルファン組立体は、室外機３に設けられ、室外の空気を取り込んで室内機２へと送る。給排気ダクト６１は、室内機２へと送られる空気が通る。マフラー６２は、給排気ダクト６１に設けられ、給排気ダクト６１を伝わる音を低減する。【選択図】　　　　図１
2004069173.tif 000002
【特許請求の範囲】
【請求項１】
室外機（３）と室内機（２）とに分かれる空気調和機であって、
前記室外機（３）に設けられ、室外の空気を取り込んで前記室内機（２）へと送る送風装置（４３）と、
前記室内機（２）へと送られる空気が通る搬送経路（６，６１）と、
前記搬送経路（６，６１）に設けられ、前記搬送経路（６，６１）を伝わる音を低減する減音部（６２）と、
を備える空気調和機（１，１００）。
【請求項２】
前記搬送経路（６，６１）は、前記室外機（３）内に設けられる室外機内経路（６１）を有し、
前記減音部（６２）は、前記室外機内経路（６１）に設けられる、
請求項１に記載の空気調和機（１）。
【請求項３】
前記搬送経路（６，６１）は、前記室外機（３）と前記室内機（２）との間に設けられる連絡経路（６）を有し、
前記減音部（６２）は、前記連絡経路（６）に設けられる、
請求項１に記載の空気調和機（１００）。
【請求項４】
前記減音部（６２）は、前記搬送経路（６，６１）よりも大きい断面積を有する、
請求項１から３のいずれかに記載の空気調和機（１，１００）。
【請求項５】
前記減音部（６２）は、音を吸収する吸音材（６２ｂ）を有する、
請求項１から４のいずれかに記載の空気調和機（１，１００）。
【請求項６】
前記室外機（３）は、室外の空気から取り込んだ水分を含む加湿空気を前記送風装置（４３）を用いて前記室内機（２）へと供給する加湿ユニット（４）を有し、
前記搬送経路（６，６１）は、前記室内機（２）へと送られる前記加湿空気が通る加湿空気経路（６，６１）である、
請求項１から５のいずれかに記載の空気調和機（１，１００）。
【請求項７】
室外機（３）と室内機（２）とに分かれる空気調和機であって、
前記室外機（３）に設けられ、室内の空気を前記室内機から取り込んで前記室外機から室外へと排出する送風装置（４３）と、
前記室内機（２）と前記送風装置（４３）とを繋ぎ、空気が通る搬送経路（６，６１）と、
前記搬送経路（６，６１）に設けられ、前記搬送経路（６，６１）を伝わる音を低減する減音部（６２）と、
を備える空気調和機（１，１００）。
【発明の詳細な説明】
【０００１】
【発明の属する技術分野】
本発明は、室外機と室内機とに分かれる空気調和機に関する。
【０００２】
【従来の技術】
室外機と室内機とを備えるいわゆるセパレート型の空気調和機には、室内の空気調和や換気等のために、室外機で取り込んだ室外の空気を室内機へと送り室内へと吹き出させるものがある。
このような空気調和機の室外機の多くは、室外の空気を室内機へと送る送風ファンなどの送風装置と、室内機へと送られる空気が通る搬送経路とを備えている。そして、送風装置により取り込まれた室外の空気が、搬送経路を通って室内機へと送られ、室内へと吹き出す。
【０００３】
例えば、特開２００２−８９８９３号公報において開示されている空気調和機は、加湿ユニットと加湿空気用配管とを備える。加湿ユニットは、室外機に設けられており、室外の空気を取り込んで加湿した加湿空気を室内機へと供給する。加湿空気用配管は、加湿ユニットと室内機との間に設けられ、室内機へと送られる空気が通る。また、加湿ユニットは、接触する空気中の水分を吸着し加熱されることにより水分を離脱する吸湿ロータと、吸湿ロータを通って加湿された加湿空気を加湿空気用配管を通して室内機へとおくる加湿ファン（送風装置）とを有する。この空気調和機では、加湿ユニットに取り込まれて加湿された加湿空気が、加湿ファンにより加湿空気用配管を通って室内機へと送られて室内へと吹き出す。
【０００４】
【発明が解決しようとする課題】
上記の様な空気調和機においては、室外の空気を室内へと送ることにより加湿などの空気調和や換気等を行うことができるが、室外機に設けられた加湿ファン等の送風装置の音が室内へと伝わる恐れがある。すなわち、送風装置の音が、室内へと送られる空気の流れと共に加湿空気用配管等の搬送経路を伝わり、室内へと漏れる場合がある。
【０００５】
本発明の課題は、室外機から室内へ伝わる音を低減することができる空気調和機を提供することにある。
【０００６】
【課題を解決するための手段】
請求項１に記載の空気調和機は、室外機と室内機とに分かれる空気調和機であって、送風装置と搬送経路と減音部とを備える。送風装置は、室外機に設けられ、室外の空気を取り込んで室内機へと送る。搬送経路は、室内機へと送られる空気が通る。減音部は、搬送経路に設けられ、搬送経路を伝わる音を低減する。
【０００７】
この空気調和機では、送風装置により室内機へと送られる空気が通る搬送経路に、減音部が設けられている。このため、室内へ送られる空気と共に送風装置の音が搬送経路を伝わっても、この伝わる音を減音部が低減する。このため、この空気調和機は、室外機から室内へ伝わる音を低減することができる。
請求項２に記載の空気調和機は、請求項１に記載の空気調和機であって、搬送経路は、室外機内に設けられる室外機内経路を有する。そして、減音部は、室外機内経路に設けられる。
【０００８】
室内機へと送られる空気の温度が搬送経路中で低下すると、結露により水分が生じる場合がある。この場合、減音部に水分が溜まると減音部の音を低減する効果が損なわれる恐れがある。
この空気調和機では、減音部が室外機内経路に設けられる。従って、減音部が室外にさらされて設けられる場合よりも、空気の温度の低下が緩やかである。このため、この空気調和機では、結露により生じる水分のために減音の能力が低下する恐れを低減することができる。
【０００９】
請求項３に記載の空気調和機は、請求項１に記載の空気調和機であって、搬送経路は、室外機と室内機との間に設けられる連絡経路を有する。そして、減音部は、連絡経路に設けられる。
この空気調和機では、室外機と室内機との間に設けられる連絡経路に、減音部が設けられている。このため、この空気調和機では、室外機に減音部を組み込む場合と比べて減音部の取り付けが容易である。
【００１０】
請求項４に記載の空気調和機は、請求項１から３のいずれかに記載の空気調和機であって、減音部は、搬送経路よりも大きい断面積を有する。
この空気調和機では、減音部は搬送経路よりも大きい断面積を有する。このため、搬送経路を伝わってきた音は、減音部で膨張して減音部を往復しながら干渉することによって減衰される。これにより、この空気調和機は、搬送経路よりも大きい断面積の断面という簡易な構成で音を低減することができる。
【００１１】
請求項５に記載の空気調和機は、請求項１から４のいずれかに記載の空気調和機であって、減音部は、音を吸収する吸音材を有する。
この空気調和機では、減音部は、音を吸収する吸音材を有する。このため、この空気調和機では、減音部の減音の効果を増大させることができる。
請求項６に記載の空気調和機は、請求項１から５のいずれかに記載の空気調和機であって、室外機は、室外の空気から取り込んだ水分を含む加湿空気を送風装置を用いて室内機へと供給する加湿ユニットを有する。そして、搬送経路は、室内機へと送られる加湿空気が通る加湿空気経路である。
【００１２】
この空気調和機では、室内機へと送られる加湿空気が通る加湿空気経路に、減音部が設けられている。このため、この空気調和機では、室内へと送られる加湿空気と共に室内へと伝わる音を低減することができる。
請求項７に記載の空気調和機は、室外機と室内機とに分かれる空気調和機であって、送風装置と搬送経路と減音部とを備える。送風装置は、室外機に設けられ、室内の空気を室内機から取り込んで室外機から室外へと排出する。搬送経路は、室内機と送風装置とを繋ぎ、空気が通る。減音部は、搬送経路に設けられ、搬送経路を伝わる音を低減する。
【００１３】
空気調和機では、送風装置と室内機とを繋ぐ搬送経路が備えられていると、搬送経路を通る空気が室内機側から室外機側へと流れている場合であっても、送風装置の音が室内機へと伝わり室内へ漏れる恐れがある。
しかし、この空気調和機では、搬送経路に減音部が設けられているため、送風装置の音が室内機へ向けて搬送経路を伝わっても、この伝わる音を減音部が低減する。このため、この空気調和機は、室外機から室内へ伝わる音を低減することができる。
【００１４】
【発明の実施の形態】
［第１実施形態］
＜空気調和機の概略構成＞
本発明の第１実施形態に係る空気調和機の外観を図１に示す。
この空気調和機１は、室内の壁面などに取り付けられる室内機２と、室外に設置される室外機３とに分かれて構成されている。室外機３は、室外熱交換器やプロペラファンなどを収納する室外空調ユニット５と加湿給排気ユニット４とを備えている。室内機２内には室内熱交換器が収納され、室外機３内には室外熱交換器が収納されている。そして、各熱交換器およびこれらの熱交換器を接続する冷媒配管３１，３２が、冷媒回路を構成している。また、室外機３と室内機２との間には、加湿給排気ユニット４からの室外空気や加湿空気等を室内機２側に供給するときや室内の空気を室外に排気するときに用いられる給排気ホース６が設けられている。給排気ホース６は、室外機３内に設けられた後述する給排気ダクトと共に、室外機３に取り込まれて室内機２へと送られる空気が通る搬送経路を形成している。
【００１５】
＜冷媒回路の構成＞
図２は、空気調和機１で用いられる冷媒回路の系統図に空気の流れの概略を付加したものである。
室内機２には、室内熱交換器１１が設けられている。この室内熱交換器１１は、長さ方向両端で複数回折り返されてなる伝熱管と、伝熱管が挿通される複数のフィンとからなり、接触する空気との間で熱交換を行う。
【００１６】
また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００１７】
室外空調ユニット５には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。電動弁２５は、フィルタ２６および液閉鎖弁２７を介して冷媒配管３２に接続されており、この冷媒配管３２を介して室内熱交換器１１の一端と接続される。また、四路切換弁２２は、ガス閉鎖弁２８を介して冷媒配管３１に接続されており、この冷媒配管３１を介して室内熱交換器１１の他端と接続されている。これらの冷媒配管３１，３２は、上述した給排気ホース６とともに集合連絡管７を形成する。
【００１８】
また、室外空調ユニット５内には、室外熱交換器２４での熱交換後の空気を外部に排出するためのプロペラファン２９が設けられている。このプロペラファン２９は、室外ファンモータ３０によって回転駆動される。
＜室外機の構成＞
室外機３は、図１に示すように下部の室外空調ユニット５および上部の加湿給排気ユニット４が一体となって構成されている。
【００１９】
まず、図３に基づいて室外空調ユニット５の構成について説明する。
〔室外空調ユニットに係る構成〕
室外空調ユニット５は、前面パネル５１、側板５２，５３、保護金網（図示せず）、金属製の底板５４等のケーシング部材や内部に収容される冷媒回路構成部品等により構成されている。
【００２０】
前面パネル５１は、室外空調ユニット５の前面を覆う樹脂製の部材であり、室外熱交換器２４に対して室外熱交換器２４を通った空気の下流側に配置されている。前面パネル５１には、複数のスリット状の開口からなる室外空調ユニット吹出口５１ａが設けられており、室外熱交換器２４を通った空気は、室外空調ユニット５の内部からこの室外空調ユニット吹出口５１ａを通って室外機３の外部へと吹き出す。また、前面パネル５１の後方には、ファン吹出口部材５６と仕切板５７とが取り付けられる。
【００２１】
側板５２，５３には右側板５２および左側板５３があり、これらは室外空調ユニット５の側方を覆う金属製の部材である。ここでは、右側に右側板５２、左側に左側板５３が設けられている。なお、本実施形態中で述べる左右とは、室外機３の正面視における左右を言うものとする。各側板５２，５３は、室外熱交換器２４を通って室外空調ユニット吹出口５１ａから吹き出す空気の吹き出し方向に対して概ね平行に設けられている。また、右側板５２には、液閉鎖弁２７およびガス閉鎖弁２８（図２参照）を保護するための閉鎖弁カバー５５が取り付けられる。
【００２２】
冷媒回路構成部品には、室外熱交換器２４、圧縮機２１、アキュムレータ２３、四路切換弁２２、電動弁２５等（図２参照）がある。
室外熱交換器２４は、平面視において略Ｌ字形状を有し、室外空調ユニット５の背面を覆う保護金網の前方に配置される。
室外熱交換器２４の前方であって、仕切板５７と左側板５３との間の通気スペースには、室外ファンモータ３０とプロペラファン２９とが設けられている。室外ファンモータ３０は、プロペラファン２９を回転させる。プロペラファン２９は、室外空調ユニット５内に取り入れた空気を室外熱交換器２４と接触させ室外空調ユニット吹出口５１ａから前面パネル５１の前方に排気させる。
【００２３】
圧縮機２１、アキュムレータ２３、四路切換弁２２、電動弁２５などの他の冷媒回路構成部品は、仕切板５７と右側板５２との間の機械室に配置されている。また、室外空調ユニット５の上部には、電装品ユニット５８が取り付けられる。この電装品ユニット５８は、電装品箱と各部を制御するための回路部品を搭載したプリント基板とにより構成されている。電装品ユニット５８の上方には防炎板５９が取り付けられる。
【００２４】
〔加湿給排気ユニットに係る構成〕
次に加湿給排気ユニット４の内部の構成について図３に基づいて説明する。
加湿給排気ユニット４は、加湿給排気ユニットケーシング４０を有している。加湿給排気ユニットケーシング４０は、加湿給排気ユニット４の前方、後方および両側方を覆っており、室外空調ユニット５の上部に接するように配置される。加湿給排気ユニットケーシング４０の前面には、複数のスリット状の開口からなる吸着用空気吹出口４０ａが設けられており、空気がこの吸着用空気吹出口４０ａを通って室外機３の外部へと吹き出す。また、加湿給排気ユニットケーシング４０の背面には、吸着用空気吸込口４０ｂおよび給排気口４０ｃが左右方向に並んで設けられている。吸着用空気吸込口４０ｂは、前面側から見て左側に設けられており、給排気口４０ｃは、右側に配置されている。吸着用空気吸込口４０ｂは、吸湿ロータ４１に水分を吸着させるために室外から取り入れられる空気が通る開口である。給排気口４０ｃは、室内機２へと送られるために取り込まれる空気が通る、または、室内機２から取り込まれて室外へと排気される空気が通る開口である。なお、加湿給排気ユニットケーシング４０の上部は、天板６６により覆われている。
【００２５】
加湿給排気ユニットケーシング４０内は、右側が吸湿ロータ４１等を収容する空間、左側が吸着用ファン４６等を収容する吸着用ファン収納空間Ｓ１となっている。この加湿給排気ユニットケーシング４０内には、吸湿ロータ４１、ヒータ組立体４２、ラジアルファン組立体４３、切換ダンパ４４、吸着側ダクト４５、吸着用ファン４６などが配置されている。
【００２６】
吸湿ロータ４１は、概ね円板形状を有するハニカム構造のセラミックロータであり、空気が容易に通過できる構造となっている。吸湿ロータ４１は、平面視において円形を有するロータであり、水平面で切った断面において細かいハニカム（蜂の巣）状になっている。そして、これらの断面が多角形である吸湿ロータ４１の多数の筒部分を、空気が通過する。
【００２７】
吸湿ロータ４１の主たる部分は、ゼオライト、シリカゲル、あるいはアルミナといった吸着剤から焼成されている。このゼオライト等の吸着剤は、接触する空気中の水分を吸着し、加熱されることによって吸着した水分を脱着する性質を有している。
この吸湿ロータ４１は、加湿給排気ユニットケーシング４０側に設けられた支持軸４０ｄに、図示しないロータガイドを介して回動可能に支持される。吸湿ロータ４１の周面には、ギヤが形成されており、ロータ駆動モータ４７の駆動軸に取り付けられるロータ駆動ギヤ４８と歯合している。
【００２８】
ヒータ組立体４２は、吸湿ロータ４１の上面の略半分（右側の半分）を覆うように配置されている。ヒータ組立体４２の下面には、空気を吸入するための吸入口と、ヒータ組立体４２で加熱された空気を吸湿ロータ４１側へ排出するための排出口とが形成されている。このヒータ組立体４２は、ヒータ支持板４９を介して吸湿ロータ４１の上方に取り付けられる。
【００２９】
ラジアルファン組立体４３は、吸湿ロータ４１の側方に配置されている。ラジアルファン組立体４３は、室外から取り入れた空気を室内機２へと送るか、又は、室内機２から取り入れた空気を室外へと排出する。ラジアルファン組立体４３は、切換ダンパ４４が切り替わることにより、これらの動作を切り替える。ラジアルファン組立体４３は、室外から取り入れた空気を室内機２へと送る場合には、吸湿ロータ４１を通過して吸湿ロータ４１の右側の略半分の部分のうち手前側の部分から降りてきた空気を、給排気ダクト６１へと送り出す。給排気ダクト６１は、給排気ホース６（図１参照）に接続されており、給排気ダクト６１と給排気ホース６とにより構成される搬送経路は、ラジアルファン組立体４３と室内機２とを繋いでいる。ラジアルファン組立体４３は、給排気ダクト６１と給排気ホース６とを介して空気を室内機２へと供給する。給排気ダクト６１の途中には、図１に示すようにマフラー６２が設けられている。マフラー６２は、給排気ダクト６１から給排気ホース６を経て室内機２へと送られる空気ともに伝達される音を低減するものである。マフラー６２については、後に詳述する。ラジアルファン組立体４３は、室内機２から取り入れた室内の空気を室外へと排出する場合には、給排気ダクト６１から送られてきた空気を加湿給排気ユニットケーシング４０の背面に設けられた給排気口４０ｃから室外へと排出する。
【００３０】
切換ダンパ４４は、ラジアルファン組立体４３の下方に配置される回転式の空気流路切換手段であり、第１状態と第２状態とに切り替わる。第１状態においては、ラジアルファン組立体４３から吹き出された空気は、給排気ダクト６１を経て給排気ホース６を通って室内機２へと供給されるようになる。これにより、第１状態では、図２の実線矢印Ａ１で示す矢印の向きに空気が流れ、加湿空気あるいは室外空気が給排気ホース６を通って室内機２へと供給されるようになる。第２状態では、図２の破線矢印Ａ２で示す矢印の向きに空気が流れ、室内機２から給排気ホース６を通ってきた空気がラジアルファン組立体４３から給排気口４０ｃを経て室外へと排気される。
【００３１】
吸着側ダクト４５は、吸湿ロータ４１の上面のうちヒータ組立体４２が位置しない部分（左側の略半分の部分）を覆っている。この吸着側ダクト４５は、後述する吸着側ベルマウス６３とともに、吸湿ロータ４１の左半分の部分の上面から以下に説明する吸着用ファン収納空間Ｓ１の上部へと通じる空気流路を形成する。
【００３２】
吸着用ファン収納空間Ｓ１に収容される吸着用ファン４６は、吸着用ファンモータ６５によって回転する遠心ファンであり、上部に配置される吸着側ベルマウス６３の開口部６３ａから空気を吸込むことで、吸着用空気吸込口４０ｂから吸湿ロータ４１を介して、開口部６３ａへ流れる気流を生成する。そして、吸着用ファン４６は、吸湿ロータ４１を通る際に水分を吸着された乾燥空気を吸着用空気吹出口４０ａから加湿給排気ユニットケーシング４０の前方へ向けて排気する。吸着側ベルマウス６３は、吸着用ファン収納空間Ｓ１の上部に設けられており、吸着側ダクト４５によって形成される空気流路を通ってくる空気を吸着用ファン４６へと導く役割を果たす。
【００３３】
＜マフラーの構成＞
マフラー６２は、内部を通る空気と共に伝わる音を低減する部材である。マフラー６２は、図１に示すように、加湿給排気ユニット４から突出する給排気ダクト６１の途中に一体的に設けられており、右側板５２と閉鎖弁カバー５５との間に収容されている。マフラー６２の長手方向の断面図を図４に示す。マフラー６２は、概ね円筒形の外形を有する部分であり、円形の軸断面を有する。マフラー６２は、マフラーケーシング６２ａと吸音材６２ｂとにより構成されており、マフラーケーシング６２ａが外側に、吸音材６２ｂが内側に同心円状に配置されている。
【００３４】
マフラーケーシング６２ａは、給排気ダクト６１と一体となっており、給排気ダクト６１の内径よりも大きな内径を有すると共に上下端に開口を有する薄肉円筒の側面６２２を含む。また、底面６２１と側面６２２及び上面６２０と側面６２２は、なだらかに連続している。また、底面６２１と側面６２２及び上面６２０と側面６２２を繋ぐ部分６２３は、なだらかな曲面となっている。
【００３５】
吸音材６２ｂは、マフラーケーシング６２ａの内側に設けられており、中心に空孔６２ｃを有する中空の円筒形状に形成されている。この空孔６２ｃは、円形の軸断面を有しており、給排気ダクト６１の空孔と繋がっている。室内機２へと送られる、又は、室内機２から送られる空気はこの空孔６２ｃを通る。なお、吸音材６２ｂの素材としては、フェルトや発泡ウレタンなどが利用できる。
【００３６】
なお、マフラー６２を設ける位置は、給排気ダクト６１の途中に限らず、給排気ダクト６１の先端部分など室内機２へと送られる空気が通る室外機３内の経路中であればよい。
＜加湿給排気ユニットの動作＞
マフラー６２による減音の効果を説明するため、室外の空気を取り込んで室内機２へと送る場合の動作について説明する。以下、一例として、室外の空気を加湿して室内へと送る加湿運転を行う場合の加湿給排気ユニット４の動作について説明する。
【００３７】
加湿給排気ユニット４は、吸着用ファン４６を回転駆動することによって、室外からの空気を吸着用空気吸込口４０ｂから加湿給排気ユニットケーシング４０内に取り入れる。加湿給排気ユニットケーシング４０内に入ってきた空気は、吸湿ロータ４１の左側の略半分の部分を通過して、吸着側ダクト４５および吸着側ベルマウス６３により形成される空気流路および吸着用ファン４６を介して、吸着ファン収納空間Ｓ１から吸着用空気吹出口４０ａを通って室外機３の前方へと排出される。加湿給排気ユニットケーシング４０内に室外から取り入れられた空気が吸湿ロータ４１の左側の略半分の部分を通過する際に、吸湿ロータ４１は、空気中に含まれている水分を吸着する。
【００３８】
この吸着工程で水分を吸着した吸湿ロータ４１の左側の略半分の部分は、吸湿ロータ４１が回転することによって、吸湿ロータ４１の右側の略半分の部分となる。すなわち、吸着された水分は、吸湿ロータ４１の回転に伴い、ヒータ組立体４２の下方に位置する吸湿ロータ４１の部分に移動してくる。そして、ここに移動してきた水分は、ヒータ組立体４２からの熱により、ラジアルファン組立体４３によって生成される空気流中に離脱していく。
【００３９】
ラジアルファン組立体４３を駆動すると、給排気口４０ｃから加湿給排気ユニットケーシング４０内に室外の空気が取り込まれ、その空気が吸湿ロータ４１の左側の略半分の部分のうち奥の部分の下方から上方に向けて通過し、ヒータ組立体４２の下面の吸入口からヒータ組立体４２内に導入される。そして、ヒータ組立体４２内に入った空気は、ヒータ組立体４２の下面の排出口から排出され、吸湿ロータ４１の左側の略半分の部分のうち手前の部分を上方から下方に通過する。このような空気流は、ラジアルファン組立体４３が生成するものである。ラジアルファン組立体４３は、上記のように吸湿ロータ４１を通り抜けてきた空気を、給排気ダクト６１および給排気ホース６を介して室内機２へと送る。この室内機２へと送られる空気は、吸湿ロータ４１に吸着されていた水分を含むようになっている。
【００４０】
このようにして加湿給排気ユニット４から室内機２に供給された空気は、室内熱交換器１１を経て室内に吹き出される。なお、この空気調和機１は、吸着用ファンモータ６５やヒータ組立体４２を作動させないことにより、加湿を行わずに室外の空気を取り入れて室内機２へと送る給気換気のみを行うこともできる。
＜特徴＞
（１）室外から取り入れた空気を室内機２へと送る空気調和機１においては、室内機２へと空気を送るためのラジアルファン組立体４３において騒音が発生する。そして、この音が、室内機２へと送られる空気と共に給排気ホース６を伝播して室内機２から室内へと漏れる恐れがある。
【００４１】
しかし、この空気調和機１では、ラジアルファン組立体４３で発生した音は、室内機２へと送られる前に室外機３の給排気ダクト６１に設けられたマフラー６２により減音される。このため、この空気調和機１では、室外機３から室内機２へと伝わる音が小さくなっている。
このマフラー６２の減音の効果を証明するために行われた実験とその結果を以下に示す。
【００４２】
この実験は、室内機２から生じる音をマイクロフォン７０により集音して、その大きさを測定するものである。マイクロフォン７０は、図５に示すように、室内機２の長手方向の中心であり、室内機２の前面から前方へ１００ｃｍ、室内機２の前面の中央より下方へ８０ｃｍの位置に配置される。この実験では、室内機２から吹き出す風の風量を変化させて、風量毎に音の大きさを測定した。同様の方法で、マフラー６２を付けた場合とマフラー６２を付けない場合との両方の場合について測定を行った。
【００４３】
測定結果をグラフに表したものを図６に示す。このグラフは、横軸に風量（単位：ｍ３／ｍｉｎ）、縦軸に音の大きさ（単位：ｄＢＡ）をとり、風量毎にマイクロフォン７０が検出した音の大きさをプロットしたものである。直線Ｌ１がマフラー６２を付けた場合で直線Ｌ２がマフラー６２を付けない場合の結果を表している。このグラフに表れているように、直線Ｌ１が直線Ｌ２よりも音の小さい側に位置しており、マフラー６２を付けることによって室内機２から発せられる音の大きさが小さくなっていることが分かる。
【００４４】
なお、加湿した空気を室内機２へと送る場合だけではなく、室外機３から室内機２へと単に空気を送る給気換気のみを行う場合にも上記と同様の効果がある。すなわち、このような給気換気を行う場合であっても室外の空気を取り込んで室内機２へと送る場合には、ラジアルファン組立体４３の音が、給気換気用の空気と共に室内機２へと伝播して室内機２から室内へ漏れる恐れがある。しかし、この空気調和機１では、上記と同様の効果により、給気換気の場合も室内へ伝わる音を小さくすることができる。
【００４５】
さらに、この空気調和機１では、室内機２から空気を取り入れて室外機３から室外へと空気を吹き出す排気換気を行う際にも減音の効果がある。確かに、このような排気換気を行う場合は、空気は室内機２から室外機３へと流れており、空気と共に室内機２へと漏れるラジアルファン組立体４３の音は、室外機３側から室内機２側へと空気が流れる場合ほど大きくはない。しかし、室内機２と室外機３とが給排気ホース６により繋がれているからには、ラジアルファン組立体４３の音は、ある程度は室内機２へと伝わる。この空気調和機１では、このような排気換気を行う際に室内へ伝わる音もマフラー６２により小さくすることができる。
【００４６】
（２）上記のマフラー６２は、給排気ダクト６１よりも大きな内径を有しているため、圧力損失軽減の効果がある。このため、同じ風量を室内機２へ搬送するためのラジアルファン組立体４３の回転数を相対的に減少させることができる。
（３）室内機２へと送られる空気の温度が低下すると、結露により水滴が発生することがある。もし、マフラー６２内で水滴が発生した場合には吸湿材６２ｂが湿ってしまい、減音の効果が損なわれる恐れがある。
【００４７】
しかし、この空気調和機１では、室外機３に設けられている給排気ダクト６１にマフラー６２が設けられている。また、室外機３には、ヒータ組立体４２が設けられているため、室外機３に近い位置は外気よりも暖かくなっている。このため、この空気調和機１では、マフラー６２内で空気中の水分が結露してマフラー６２の減音の効果が損なわれることを防止することができる。
【００４８】
（４）この空気調和機１では、マフラー６２が室外機３内に設けられている。このため、マフラー６２が室外機３内に組み込まれた状態で空気調和機１を製造することにより、別途マフラー６２を取り付ける工事が不要になり、対象物件に空気調和機１を備え付ける際の工事を簡略化することができる。
［第２実施形態］
第２実施形態にかかる空気調和機１００の外観図を図７に示す。この空気調和機１００では、マフラー６２が室内機３と室外機２とを結ぶ給排気ホース６の途中に設けられている。マフラー６２は、給排気ホース６の軸断面よりも大きい軸断面を有している。他の構成については、第１実施形態にかかる空気調和機１と同様である。なお、図７では構成を理解しやすくするために図１における冷媒配管３１，３２等を省略している。
【００４９】
この空気調和機１００は、第１実施形態と同様の減音の効果を有する共に、以下のような効果を有する。
この空気調和機１００では、室内機３と室外機２とを結ぶ給排気ホース６の途中にマフラー６２が設けられる。このため、マフラーを備えていない室外機３の製造後であっても、後から容易にマフラー６２が取り付けられた空気調和機１００を構成することができる。
【００５０】
また、マフラー６２を備えていない空気調和機を物件に取り付けた後であっても、マフラー６２を有する給排気ホース６に取り替える、又は、既存の給排気ホースにマフラーを取り付けるだけで容易に既存の空気調和機から空気調和機１００を構成することができる。
さらに、室外機３内にマフラー６２を組み込む場合と比べて、マフラー６２の取り付けが容易である。
【００５１】
［他の実施形態］
上記のマフラー６２を室内機２の内部であって給排気ホース６と接続される部分に設けてもよい。この場合も上記と同様の減音の効果を得ることができる。
【００５２】
【発明の効果】
請求項１に記載の空気調和機では、送風装置により室内機へと送られる空気が通る搬送経路に、減音部が設けられている。このため、室内へ送られる空気と共に送風装置の音が搬送経路を伝わっても、この伝わる音を減音部が低減する。このため、この空気調和機は、室外機から室内へ伝わる音を低減することができる。
【００５３】
請求項２に記載の空気調和機では、減音部が室外機内経路に設けられる。従って、減音部が室外にさらされて設けられる場合よりも、空気の温度の低下が緩やかである。このため、この空気調和機では、結露により生じる水分のために減音の能力が低下する恐れを低減することができる。
請求項３に記載の空気調和機では、室外機と室内機との間に設けられる連絡経路に、減音部が設けられている。このため、この空気調和機では、室外機に減音部を組み込む場合と比べて減音部の取り付けが容易である。
【００５４】
請求項４に記載の空気調和機では、減音部は搬送経路よりも大きい断面積を有する。このため、搬送経路を伝わってきた音は、減音部で膨張して減音部を往復しながら干渉することによって減衰される。これにより、この空気調和機は、搬送経路よりも大きい断面積の断面という簡易な構成で音を低減することができる。
【００５５】
請求項５に記載の空気調和機では、減音部は、音を吸収する吸音材を有する。このため、この空気調和機では、減音部の減音の効果を増大させることができる。
請求項６に記載の空気調和機では、室内機へと送られる加湿空気が通る加湿空気経路に、減音部が設けられている。このため、この空気調和機では、室内へと送られる加湿空気と共に室内へと伝わる音を低減することができる。
【００５６】
請求項７に記載の空気調和機では、搬送経路に減音部が設けられているため、送風装置の音が室内機へ向けて搬送経路を伝わっても、この伝わる音を減音部が低減する。このため、この空気調和機は、室外機から室内へ伝わる音を低減することができる。
【図面の簡単な説明】
【図１】第１実施形態にかかる空気調和機の外観図。
【図２】冷媒回路の構成図。
【図３】室外機の構成を示す斜視図。
【図４】マフラーの長手方向断面図。
【図５】減音効果の確認実験のマイクロフォンの配置を示す図。
【図６】減音効果の確認実験の結果を示すグラフ。
【図７】第２実施形態にかかる空気調和機の外観図。
【符号の説明】
１，１００　　　　空気調和機
２　　　　室内機
３　　　　室外機
４　　　　加湿給排気ユニット（加湿ユニット）
６　　　　給排気ホース（連絡経路）
４３　　　ラジアルファン組立体（送風装置）
６１　　　給排気ダクト（室外機内経路）
６２　　　マフラー（減音部）
６２ｂ　　吸音材
【図１】
2004069173.tif 000003
【図２】
2004069173.tif 000004
【図３】
2004069173.tif 000005
【図４】
2004069173.tif 000006
【図５】
2004069173.tif 000007
【図６】
2004069173.tif 000008
【図７】
2004069173.tif 000009